(57)【要約】      （修正有）【課題】紙フィルタ等で熱湯を使用して非常に安定してコーヒーを抽出することができ、抽出後の紙フィルタをコーヒーカップから簡単に取り外すことができるワイヤードリッパーを提供する。【解決手段】ドリップ式の飲料を抽出する際にフィルタ２１を支持するために使用するワイヤードリッパー１１であって、リング状の一部を突出させて把手１３としたリング状上端フレーム１２と、リング状上端フレームから所定の間隔で漏斗状に垂設した縦フレームと、縦フレームをその下部において連結した下部連結フレーム１５とを備える。【選択図】図６
0003206030.tif 000002
【実用新案登録請求の範囲】
【請求項１】
ドリップ式の飲料を抽出する際にフィルタを支持するために使用するワイヤードリッパーであって、
把手部を設けたリング状上端フレームと、該リング状上端フレームから所定の間隔で漏斗状に垂設した縦フレームと、
該縦フレームをその下部において連結した下部連結フレームとを備えたことを特徴とするワイヤードリッパー。
【請求項２】
前記リング状上端フレームから所定の間隔で漏斗状に垂設した縦フレームは、所定の間隔で並べた２本の線材をその両端で連結したレール状であって、その上端を前記リング状上端フレームに巻回して固定されていることを特徴とする請求項１に記載のワイヤードリッパー。
【請求項３】
前記縦フレームをその下部において連結した下部連結フレームは、連続する山および谷からなる波状に形成され、前記縦フレームに対して谷の位置で連結されていることを特徴とする請求項１または２に記載のワイヤードリッパー。
【請求項４】
前記把手ないし縦フレーム部分には表示用プレートが取り付けられ、該プレートには商品ロゴないし文字が表示されていることを特徴とする請求項１ないし３のいずれかに記載のワイヤードリッパー。
【考案の詳細な説明】
【技術分野】
【０００１】
本考案は、基本部分をワイヤーで構成したワイヤードリッパーに関する。
【背景技術】
【０００２】
近年、より味を追求したコーヒーを家庭で楽しむため、挽いた豆を湯で濾してコーヒーを抽出することが行われており、自動で抽出を行う機械式や、カップの上で抽出を行う一杯抽出式のドリッパーが用いられる。このようなドリッパーは、一般的にはプラスチック製で漏斗状に成形されたものであった。
【０００３】
他方、基本部分をワイヤーで構成したドリッパーとしては、次のような先行技術が知られている。
１）特表２００５−５２４４６０号公報（特許文献１参照）は、フィルタおよび散の飲料前駆物を用いて、そしてフィルタパックに充填された飲料前駆物を用いて、エンドユーザが飲料を高温ででも低温ででも煎出するのを可能にする持上げ具を備えた煎出漏斗である。
そして、持上げ具３４は、煎出漏斗の内側段の上に載せるための外側張出し部(outer ridge)を備えたプラットフォームと、複数の孔と、持上げ具の口を形成する張出し部とを有する。張出し部は複数の軸によってプラットフォームに連結されている。
２）実用新案登録第３２００３２８号公報（特許文献２参照）および実用新案登録第３２００３４２号公報（特許文献３参照）は、ドリップ補助具は、ドリッパー形状（漏斗形状）をしたフレームであるバッグ受け部と、バッグ受け部を支えるフレームであるカップ被せ部とを有している。
バッグ受け部は、２つのリング状の金枠と、これらを縦に重なるよう上下方向に連結する４本の金枠と、を有している。金枠は、それぞれのリングの円周を４分割した位置に溶着されており、その末端は丸められている。
２つのリング状の金枠は、上側に位置する金枠の直径が、下側に位置する金枠よりも大きく、フレーム全体が略逆円錐台形状のドリッパーを形成している。また、各金枠は必ずしも上記本数である必要はなく、フレーム全体がドリッパーの形状を形成できていれば、どのような構造であってもよい。
３）実用新案登録第３２０３４５９号公報（特許文献４参照）は、ネル布フィルタを支える第１置台の上に第２ホルダが置かれる。第２ホルダは、最下部に円弧状の第２ベースを有し、この第２ベースから長半円リングが３か所突出している。この長半円リングの中に前記第１ホルダのサポート先端を挿入することにより、第１ホルダと第２ホルダの位置決めが行われる。
【先行技術文献】
【特許文献】
【０００４】
【特許文献１】特表２００５−５２４４６０号公報
【特許文献２】実用新案登録第３２００３２８号公報
【特許文献３】実用新案登録第３２００３４２号公報
【特許文献４】実用新案登録第３２０３４５９号公報
【考案の概要】
【考案が解決しようとする課題】
【０００５】
前記各引用文献には、リング状上端フレームと、該リング状上端フレームから所定の間隔で漏斗状に垂設した縦フレームと、該縦フレームをその下部において連結した下部連結フレームとを備えてなる、基本部分をワイヤーで構成したドリッパーが示されている。
【０００６】
しかしながら、前記各引用文献における抽出物としては主にフィルタパックを対象とするものであり、紙フィルタ等で熱湯を使用してコーヒーを抽出するには安定性に欠ける虞れがあった。
また、フィルタパックには大抵の場合つまみが付随させてあり、フィルタパックの取出しにはほとんど支障がないのであるが、紙フィルタの場合にはコーヒーカップから取り外すにも工夫が必要であり、コーヒーカップから簡便に取り外せる機構が望まれていた。
【０００７】
そこで本考案は、紙フィルタ等で熱湯を使用してコーヒーを抽出する場合でも非常に安定してコーヒーを抽出させることができ、また紙フィルタを使用した場合でもコーヒーカップから簡単に取り外すことができるワイヤードリッパーを提供することを目的とする。
【課題を解決するための手段】
【０００８】
したがって本考案のワイヤードリッパーは、ドリップ式の飲料を抽出する際にフィルタを支持するために使用するワイヤードリッパーであって、
リング状の一部を突出させて把手としたリング状上端フレームと、該リング状上端フレームから所定の間隔で漏斗状に垂設した縦フレームと、
該縦フレームをその下部において連結した下部連結フレームとを備えたことを特徴とするものである。
【０００９】
また本考案のワイヤードリッパーにおいて、前記リング状上端フレームから所定の間隔で漏斗状に垂設した縦フレームは、所定の間隔で並べた２本の線材をその両端で連結したレール状であって、その上端を前記リング状上端フレームに巻回して固定されていることをも特徴とするものである。
【００１０】
さらに本考案のワイヤードリッパーにおいて、前記縦フレームをその下部において連結した下部連結フレームは、連続する山および谷からなる波状に形成され、前記縦フレームに対して谷の位置で連結されていることをも特徴とするものである。
【００１１】
本考案のワイヤードリッパーにおいて、前記把手ないし縦フレーム部分には表示用プレートが取り付けられ、該プレートには商品ロゴないし文字が表示されていることをも特徴とするものである。
【考案の効果】
【００１２】
以上のように構成した本考案によれば、ドリッパー本体をワイヤー製とすることにより円錐形フィルタのワイヤードリッパーへの接地面を極力少なくすることができ、ワイヤードリッパーに紙フィルタ等を設置した際に生じる隙間を大きく設けられることになって、コーヒーを淹れる（ドリップする）際に発生する味、香りの抽出を助ける働きを促す炭酸ガスの抜けを良くし、さらに炭酸ガスに含まれる雑味の原因となる成分の放出にも効果が期待できる。したがって、コーヒー豆の持つ本来の特徴である香り、コク等の香味を大きく引き出す効果を期待することができる。
【００１３】
なお、ワイヤードリッパーの内側に設置したギザギザ（波形）のパーツは、全体で紙やネル、リネン等からなるフィルタを円錐形にホールドするためコーヒー粉を投入した際に安定するようになっている。また、円錐形を安定させることによってお湯を注いだ際の湯量の浸透具合や、ドリップの際のスピードの調整が可能であり、先端部へ均一にお湯の流れを導くことができるため、安定した味わいのコーヒーとすることができる。
【図面の簡単な説明】
【００１４】
【図１】本考案の第一の実施形態に係るワイヤードリッパーの平面図である。
【図２】その底面図である。
【図３】その側面図である。
【図４】反対側から見た側面図である。
【図５】その斜視図である。
【図６】ワイヤードリッパーに紙フィルタをはめ込む前の斜視図である。
【図７】ワイヤードリッパーに紙フィルタをはめ込んだ状態の斜視図である。
【図８】本考案の第二の実施形態に係るワイヤードリッパーの底面図である。
【図９】その側面図である。
【図１０】斜め上方から見た状態の斜視図である。
【図１１】斜め下方から見た状態の斜視図である。
【図１２】Ｖ字状の縦フレームおよび下部連結フレームに取り付ける山形片の正面図である。
【図１３】本考案の第三の実施形態に係るワイヤードリッパーの斜視図である。
【図１４】本考案の第四の実施形態に係るワイヤードリッパーの斜視図である。
【考案を実施するための形態】
【００１５】
本考案のワイヤードリッパーの実施の形態について、以下、図に基いて詳細に説明する。
本考案のワイヤードリッパーは、ドリップ式の飲料を抽出する際にフィルタを支持するために使用するワイヤードリッパーである。
＜第一の実施形態＞
第１実施例のワイヤードリッパー１１は、図１ないし図５に示したように、リング状の一部を突出させて把手１３としたリング状上端フレーム１２と、該リング状上端フレーム１２から所定の間隔で漏斗状に垂設した縦フレーム１４と、該縦フレーム１４をその下部において連結した下部連結フレーム１５とを備えている。図において１３ａは把手１３の中間に設けた横棒であり、前記把手１３をより摘みやすくするためのものである。
【００１６】
そして本実施例のワイヤードリッパー１１において、前記リング状上端フレーム１２から所定の間隔で漏斗状に垂設した縦フレーム１４は、所定の間隔で並べた２本の線材１４ａ，１４ｂをその両端で連結したレール状であって、その上端を前記リング状上端フレーム１２に巻回して固定されている。図では縦フレーム１４は前記リング状上端フレーム１２の周囲を６等分する位置に配設されている。
【００１７】
前記縦フレーム１４をその下部において連結した下部連結フレーム１５は、連続する山１５ａおよび谷１５ｂからなる波状に形成され、前記縦フレーム１４に対して谷１５ｂの位置で連結されている。
このように、前記下部連結フレーム１５は前記縦フレーム１４に対して谷１５ｂの位置で連結されているため、山１５ａは上向きに伸びていて、その先端は前記リング状上端フレーム１２と下部連結フレーム１５との中間位置まで延長されている。
【００１８】
本実施例は以上のように構成されており、図６および図７に示すように、紙フィルタ２１で熱湯を使用してコーヒーを抽出する場合にも、前記波状の下部連結フレーム１５によって非常に安定した状態で使用することができる。
もちろん、前記リング状上端フレーム１２のリング状の一部を突出させて把手１３としてあるため、ワイヤードリッパーはコーヒーの注出後にコーヒーカップからフィルタごと簡便に取り外すことが可能である。
【００１９】
＜第二の実施形態＞
次に、本考案の第２実施例のワイヤードリッパー３１は、図８ないし図１２に示したように、リング状の一部を突出させて把手３３としたリング状上端フレーム３２と、該リング状上端フレーム３２から所定の間隔で漏斗状に垂設した縦フレーム３４と、該縦フレーム３４をその下部において連結した下部連結フレーム３５とを備えている。
【００２０】
そして本実施例のワイヤードリッパー３１において、前記リング状上端フレーム３２から所定の間隔で漏斗状に垂設した縦フレーム３４は、ワイヤーを折り曲げて形成したＶ字状ワイヤー３４ａを３セット用意し、それぞれの上端を前記リング状上端フレーム３２に固定されている。図では縦フレーム３４は前記リング状上端フレーム３２の周囲を６等分する位置に配設されている。
【００２１】
前記縦フレーム３４をその下部において連結した下部連結フレーム３５はリング状に形成されており、その各縦フレーム３４間には山形片３５ａの下端が取り付けられている。
このように、前記下部連結フレーム３５は前記縦フレーム３４間に山形片３５ａが取り付けられているため、山形片３５ａは上向きに伸びていて、その先端は前記リング状上端フレーム３２と下部連結フレーム３５とのほぼ中間位置まで延長されている。
【００２２】
本実施例は以上のように構成されており、紙フィルタ（図示せず）で熱湯を使用してコーヒーを抽出する場合にも、前記下部連結フレーム３５間に配設した山形片３５ａによって非常に安定した状態で使用することができる。
もちろん、前記リング状上端フレーム３２のリング状の一部を突出させて把手３３としてあるため、ワイヤードリッパーはコーヒーの注出後にコーヒーカップからフィルタごと簡便に取り外すことが可能である。
【００２３】
＜第三の実施形態＞
次に、本考案の第３実施例のワイヤードリッパー４１は、図１３に示したように、リング状の一部を突出させて把手４３としたリング状上端フレーム４２と、該リング状上端フレーム４２から所定の間隔で漏斗状に垂設した縦フレーム４４と、該縦フレーム４４をその下部において連結した下部連結フレーム４５とを備えている。
その上で前記把手４３の反対側の一対の縦フレーム４４，４４間には横長の表示用プレート４６が取り付けられ、該表示用プレート４６には商品ロゴないし文字を表示するようになっている。
【００２４】
＜第四の実施形態＞
次に、本考案の第４実施例のワイヤードリッパー５１は、図１４に示したように、リング状上端フレーム５２と、該リング状上端フレーム５２から所定の間隔で漏斗状に垂設した縦フレーム５４と、該縦フレーム５４をその下部において連結した下部連結フレーム５５とを備えている。
その上で前記リング状上端フレーム５２の一部には把手となる表示用プレート５６が取り付けられ、該表示用プレート５６には商品ロゴないし文字を表示するようになっている。
【産業上の利用可能性】
【００２５】
上記各実施形態においてはコーヒーを主な例として説明したが、他の各種飲料、例えばお茶（煎茶、紅茶、ウーロン茶、倍煎茶、麦茶）等に対して使用してもよい。
さらに、各実施形態及び変形例は、自由に組み合わせることが可能である。
【符号の説明】
【００２６】
１１  ワイヤードリッパー
１２  リング状上端フレーム
１３  把手
１３ａ  横棒
１４  縦フレーム
１４ａ，１４ｂ  線材
１５  下部連結フレーム
１５ａ  山
１５ｂ  谷
２１  紙フィルタ
３１  ワイヤードリッパー
３２  リング状上端フレーム
３３  把手
３４  縦フレーム
３４ａ  Ｖ字状ワイヤー
３５  下部連結フレーム
３５ａ  山形片
４１  ワイヤードリッパー
４２  リング状上端フレーム
４３  把手
４４  縦フレーム
４５  下部連結フレーム
４６  表示用プレート
５１  ワイヤードリッパー
５２  リング状上端フレーム
５４  縦フレーム
５５  下部連結フレーム
５６  表示用プレート
【図１】
0003206030.tif 000003
【図２】
0003206030.tif 000004
【図３】
0003206030.tif 000005
【図４】
0003206030.tif 000006
【図５】
0003206030.tif 000007
【図６】
0003206030.tif 000008
【図７】
0003206030.tif 000009
【図８】
0003206030.tif 000010
【図９】
0003206030.tif 000011
【図１０】
0003206030.tif 000012
【図１１】
0003206030.tif 000013
【図１２】
0003206030.tif 000014
【図１３】
0003206030.tif 000015
【図１４】
0003206030.tif 000016